(57)【要約】【課題】インストルメントパネルにダクト部材を接合して該インストルメントパネルの裏面側に空調用のダクトを形成する構成において、ダクトからの空調空気の漏れを防止又は効果的に抑制するインストルメントパネル構造を得る。【解決手段】インストルメントパネル構造１０は、インストルメントパネル１２の裏面１２Ａにダクト部材１６のフランジ部３８を接合することで、空調用ダクト１４が形成されている。ダクト形成部３６の開口側を覆うシート状部材１８は、インストルメントパネル１２の裏面１２Ａとフランジ部３８との間にも介在されている。インストルメントパネル１２とフランジ部３８とは、シート状部材１８を貫通する接合凸部４４にて接合されている。シート状部材１８は、接合凸部４４に対する空調用ダクト１４側でフランジ部３８から突出されたシール凸部４５にて圧縮されてシール圧が付与されている。【選択図】図１
2011084167.tif 000002
【特許請求の範囲】
【請求項１】
インストルメントパネルと、
前記インストルメントパネルの裏面側に開口するダクト形成部と、該ダクト形成部の開口端から張り出されたフランジ部とを有し、前記ダクト形成部と前記インストルメントパネルとの間に空調空気が流れるダクトを形成するダクト部材と、
前記ダクト形成部の開口を覆うと共に前記インストルメントパネルと前記フランジ部との間に介在するシート状部材と、
前記インストルメントパネル及び前記フランジ部の少なくとも一方から他方に向けて突出され、前記シート状部材を貫通して前記インストルメントパネルと前記フランジ部とを接合する接合部と、
前記接合部に対する前記ダクト側において前記インストルメントパネル及び前記フランジ部の少なくとも一方から他方に向けて突出され、前記シート状部材を圧縮するシール圧付与部と、
を備えたインストルメントパネル構造。
【請求項２】
前記インストルメントパネル、前記フランジ部はそれぞれ樹脂材より成り、
前記接合部は、前記インストルメントパネルの裏面側から前記フランジ部に向けて突出された各々頂部を有する複数の凸部を含んで構成され、前記各凸部の頂部において前記フランジ部に振動溶着にて接合されている請求項１記載のインストルメントパネル構造。
【請求項３】
前記ダクト部材は、前記ダクト形成部における前記インストルメントパネルに対向する底壁から該インストルメントパネルに向けて突出し、前記シート状部材を前記ダクト内から支持するシート状部材支持凸部をさらに有する請求項１又は請求項２記載のインストルメントパネル構造。
【請求項４】
前記接合部は、前記フランジ部から前記インストルメントパネルの裏面に向けて突出されると共に前記インストルメントパネルが接合されたダクト側接合凸部を含む１〜請求項３の何れか１項記載のインストルメントパネル構造。
【請求項５】
前記シール圧付与部は、前記フランジ部から前記インストルメントパネルの裏面に向けて前記ダクト側接合凸部よりも低く突出されたダクト側シール凸部を含む請求項４記載のインストルメントパネル構造。
【請求項６】
前記シール圧付与部は、前記インストルメントパネルの裏面から前記ダクト側シール凸部に向けて突出されたインストルメントパネル側シール凸部を含む請求項５記載のインストルメントパネル構造。
【請求項７】
前記接合部は、前記インストルメントパネルの裏面から前記フランジ側に向けて突出されると共に該フランジ部に接合されたインストルメントパネル側接合凸部であり、
前記シール圧付与部は、前記インストルメントパネルの裏面から前記フランジ部に向けて前記インストルメントパネル側接合凸部よりも低く突出されたインストルメントパネル側シール凸部である請求項１〜請求項３の何れか１項記載のインストルメントパネル構造。
【発明の詳細な説明】
【技術分野】
【０００１】
本発明は、内側に空調用のダクトが設けられたインストルメントパネル構造に関する。
【背景技術】
【０００２】
インストルメントパネルにダクトを一体に設ける構成において、ダクト体におけるインストルメントパネルに溶着される固着部とダクト部との間に、断熱体を圧縮状態で挟み込む曲板状の断熱体支持部を設けた技術が知られている（例えば、特許文献１参照）。
【０００３】
また、インストルメントパネルの裏面に形成された結合用リブを発泡体の切れ目に嵌め込み、該切れ目から突出した結合用リブを空調用ダクトのフランジに溶着することで、インストルメントパネルと空調用ダクトとの接続部に結露が生じることを防止する技術知られている（例えば、特許文献２参照）。
【先行技術文献】
【特許文献】
【０００４】
【特許文献１】特開２００７−３８７１０号公報
【特許文献２】特開平８−２６８０４１号公報
【発明の概要】
【発明が解決しようとする課題】
【０００５】
しかしながら、インストルメントパネルとダクト部材との接合部の結露をより効果的に抑制又は防止する観点からは、改善の余地がある。
【０００６】
本発明は、インストルメントパネルにダクト部材を接合して該インストルメントパネルの裏面側に空調用のダクトを形成する構成において、ダクトからの空調空気の漏れを防止又は効果的に抑制するインストルメントパネル構造を得ることが目的である。
【課題を解決するための手段】
【０００７】
請求項１記載の発明に係るインストルメントパネル構造は、インストルメントパネルと、前記インストルメントパネルの裏面側に開口するダクト形成部と、該ダクト形成部の開口端から張り出されたフランジ部とを有し、前記ダクト形成部と前記インストルメントパネルとの間に空調空気が流れるダクトを形成するダクト部材と、前記ダクト形成部の開口を覆うと共に前記インストルメントパネルと前記フランジ部との間に介在するシート状部材と、前記インストルメントパネル及び前記フランジ部の少なくとも一方から他方に向けて突出され、前記シート状部材を貫通して前記インストルメントパネルと前記フランジ部とを接合する接合部と、前記接合部に対する前記ダクト側において前記インストルメントパネル及び前記フランジ部の少なくとも一方から他方に向けて突出され、前記シート状部材を圧縮するシール圧付与部と、を備えている。
【０００８】
請求項１記載のインストルメントパネル構造では、シート状部材は、該シート状部材を貫通してインストルメントパネルとダクト部材のフランジとを接合する接合部に対するダクト側で、シール圧付与部によって圧縮されることでシール圧が付与されている。このシール圧付与部によってシール圧が付与されたシート状部材は、所要のシール性能が確保され、ダクトを流れる空調空気（冷気）が接合部側に流れることが効果的に抑制される。これにより、本インストルメントパネル構造では、接合部が冷やされることに起因してインストルメントパネルの表面で結露が生じることが抑制される。
【０００９】
そして、接合部は、ダクト形成部の開口を覆う（跨ぐ）シート状部材をシール圧付与部に対する外側（反ダクト側）にて貫通しているので、このシート状部材の端部は、フランジ部の端部側で露出することとなる。このため、シート状部材がインストルメントパネルとフランジ部との間でシール圧付与部にて適正にシール圧が付与されていることを、ダクトの外側から目視にて確認することができ、シート状部材のセット不良を防止又は効果的に抑制することができる。
【００１０】
このように、請求項１記載のインストルメントパネル構造では、本発明は、インストルメントパネルにダクト部材を接合して該インストルメントパネルの裏面側に空調用のダクトを形成する構成において、ダクトからの空調空気の漏れを防止又は効果的に抑制することができる。
【００１１】
請求項２記載の発明に係るインストルメントパネル構造は、請求項１記載のインストルメントパネル構造において、前記インストルメントパネル、前記フランジ部はそれぞれ樹脂材より成り、前記接合部は、前記インストルメントパネルの裏面側から前記フランジ部に向けて突出された各々頂部を有する複数の凸部を含んで構成され、前記各凸部の頂部において前記フランジ部に振動溶着にて接合されている。
【００１２】
請求項２記載のインストルメントパネル構造では、インストルメントパネルから突出された各凸部の頂部（先鋭部）がシート状部材を貫通してダクト部材のフランジ部に溶着されている。各凸部が頂部を有するので、振動溶着のための振動付与に伴って各凸部がシート状部材を貫通する。これにより、シート状部材にスリット等を形成することなく、各凸部の頂部をフランジ部に到達させて該フランジ部に溶着（接合）することができる。
【００１３】
請求項３記載の発明に係るインストルメントパネル構造は、請求項１又は請求項２記載のインストルメントパネル構造において、前記ダクト部材は、前記ダクト形成部における前記インストルメントパネルに対向する底壁から該インストルメントパネルに向けて突出し、前記シート状部材を前記ダクト内から支持するシート状部材支持凸部をさらに有する。
【００１４】
請求項３記載のインストルメントパネル構造では、ダクト形成部の開口部を覆う（ダクト形成部を長手方向と交差する幅方向に跨ぐ)シート状部材の中間部が、シート状部材支持凸部にてダクト内から支持される。これにより、シート状部材がダクト側に撓むことが防止又は効果的に抑制される。
【００１５】
請求項４記載の発明に係るインストルメントパネル構造は、１〜請求項３の何れか１項記載のインストルメントパネル構造において、前記接合部は、前記フランジ部から前記インストルメントパネルの裏面に向けて突出されると共に前記インストルメントパネルが接合されたダクト側接合凸部を含む。
【００１６】
請求項４記載のインストルメントパネル構造では、ダクト部材のフランジ部からインストルメントパネルに向けて突出されたダクト側接合凸部に、インストルメントパネルが接合されている。この形状により、ダクト部材のフランジ部の剛性が確保されやすく、インストルメントパネルとダクト部材とが良好に接合される。
【００１７】
請求項５記載の発明に係るインストルメントパネル構造は、請求項４記載のインストルメントパネル構造において、前記シール圧付与部は、前記フランジ部から前記インストルメントパネルの裏面に向けて前記ダクト側接合凸部よりも低く突出されたダクト側シール凸部を含む。
【００１８】
請求項５記載のインストルメントパネル構造では、ダクト部材のフランジ部からインストルメントパネルに向けて突出されたダクト側シール凸部によって、シート状部材が圧縮されている。この形状により、ダクト部材のフランジ部の剛性が一層確保されやすく、インストルメントパネルとダクト部材とが良好に接合される。
【００１９】
請求項６記載の発明に係るインストルメントパネル構造は、請求項５記載のインストルメントパネル構造において、前記シール圧付与部は、前記インストルメントパネルの裏面から前記ダクト側シール凸部に向けて突出されたインストルメントパネル側シール凸部を含む。
【００２０】
請求項６記載のインストルメントパネル構造では、シート状部材が表裏両側から圧縮されてシール圧が付与されるので、該シート状部材によるシール性が向上する。
【００２１】
請求項７記載の発明に係るインストルメントパネル構造は、請求項１〜請求項３の何れか１項記載のインストルメントパネル構造において、前記接合部は、前記インストルメントパネルの裏面から前記フランジ側に向けて突出されると共に該フランジ部に接合されたインストルメントパネル側接合凸部であり、前記シール圧付与部は、前記インストルメントパネルの裏面から前記フランジ部に向けて前記インストルメントパネル側接合凸部よりも低く突出されたインストルメントパネル側シール凸部である。
【００２２】
請求項７記載のインストルメントパネル構造では、インストルメントパネル側に接合凸部及びシール凸部が設定されているので、ダクト部材（フランジ部）の形状が簡素化される。
【発明の効果】
【００２３】
以上説明したように本発明に係るインストルメントパネル構造は、本発明は、インストルメントパネルにダクト部材を接合して該インストルメントパネルの裏面側に空調用のダクトを形成する構成において、ダクトからの空調空気の漏れを防止又は効果的に抑制することができるという優れた効果を有する。
【図面の簡単な説明】
【００２４】
【図１】本発明の第１の実施形態に係るインストルメントパネル構造を示す側断面図である。
【図２】本発明の第１の実施形態に係るインストルメントパネル構造の要部を拡大して示す図であって、（Ａ）は側断面図、（Ｂ）は図２（Ａ）の２Ｂ−２Ｂ線に沿った断面図である。
【図３】本発明の第１の実施形態に係るインストルメントパネル構造を示す分解斜視図である。
【図４】本発明の第２の実施形態に係るインストルメントパネル構造を示す図２（Ａ）に対応する側断面図である。
【図５】本発明の第３の実施形態に係るインストルメントパネル構造を示す図２（Ａ）に対応する側断面図である。
【図６】本発明の第４の実施形態に係るインストルメントパネル構造を示す斜視図である。
【発明を実施するための形態】
【００２５】
本発明の第１の実施形態に係るインストルメントパネル構造１０について、図１〜図３に基づいて説明する。なお、各図に適宜記す矢印ＦＲ、矢印ＵＰ、矢印Ｗは、それぞれインストルメントパネル構造１０が適用された自動車の前方向（進行方向）、上方向、車幅方向を示している。
【００２６】
図３には、インストルメントパネル構造１０の概略構成（部品）が分解斜視図にて示されている。この図に示される如く、インストルメントパネル構造１０は、インストルメントパネル１２と、該インストルメントパネル１２との間に空調用ダクト１４を形成するダクト部材１６と、インストルメントパネル１２とダクト部材１６との間をシールするシート状部材１８とを主要部として構成されている。
【００２７】
インストルメントパネル１２は、車幅方向に長手とされ、車室の前端で図示しないエアコンユニットを含む各種部品などを覆っている。このインストルメントパネル１２には、車室に空調空気を吹き出すためのセンタ開口部２０、サイド開口部２２、図示しないデフ開口部などが形成されている。センタ開口部２０は、図示しないセンタレジスタから車室に空調空気を吹き出し、サイド開口部２２は、図示しないサイドレジスタ、サイドデフから車室に空調空気を吹き出し、デフ開口部は、図示しないセンタデフから車室（ウインドシールドガラス）に空調空気を吹き出す構成とされている。
【００２８】
ダクト部材１６は、インストルメントパネル１２の裏面（下面）との間に、センタ開口部２０に空調空気を導くセンタダクト２６と、サイド開口部２２に空調空気を導くサイドレジスタダクト２８及びサイドデフダクト３０と、デフ開口部に空調空気を導くセンタデフダクト３２とを含む複数の空調用ダクト１４を形成するようになっている。この実施形態では、ダクト部材１６におけるセンタダクト２６を成す部分は、インストルメントパネル１２との接合前に閉断面構造を成す筒状部とされている。
【００２９】
一方、ダクト部材１６におけるサイドレジスタダクト２８、サイドデフダクト３０、センタデフダクト３２を成す部分は、それぞれインストルメントパネル１２の裏面側に開口する単位ダクト形成部材３４が一体に形成されたものとして捉えることができる。各単位ダクト形成部材３４は、それぞれ長手（空調空気の流れ）方向に直交する断面視で略ハット形状を成している。
【００３０】
具体的には、各単位ダクト形成部材３４は、ダクト形成部３６の開口端から上記長手方向のとの交差方向の両側に張り出されたフランジ部３８を有しており、フランジ部３８において一体化されている。なお、この実施形態では、センタダクト２６は、他の空調用ダクト１４と同様にインストルメントパネル１２側に開口する単位ダクト形成部材３４にて構成されても良い。
【００３１】
シート状部材１８は、図１及び図３に示される如く、サイドレジスタダクト２８、サイドデフダクト３０を構成する単位ダクト形成部材３４を車両上側から覆う（ダクト形成部３６の開口部を跨いで塞ぐ）と共に、ダクト部材１６とインストルメントパネル１２との間に介在され、該ダクト部材１６のフランジ部３８とインストルメントパネル１２（の裏面）との間に挟み込まれている。
【００３２】
シート状部材１８は、サイドレジスタダクト２８、サイドデフダクト３０を流れる空調空気（冷気）の冷熱がインストルメントパネル１２に伝わることを抑制する断熱部材として機能するようになっている。また、シート状部材１８におけるダクト部材１６のフランジ部３８とインストルメントパネル１２との間に挟み込まれた部分は、該フランジ部３８とインストルメントパネル１２（の裏面）との間をシールするシート状部材としても機能するようになっている（詳細は後述する）。これらの機能を果たすシート状部材１８は、例えばポリウレタンフォームなどの発泡材料、不織布や織布などの繊維材料にて構成されている。
【００３３】
そして、インストルメントパネル１２とダクト部材１６のフランジ部３８とは、シート状部材１８を挟み込んだ状態で、互いに接合されている。この実施形態では、シート状部材１８は、樹脂材の射出成形によって構成されており、ダクト部材１６は、樹脂フィルム（シート）の真空成形によって構成されている。これらダクト部材１６のフランジ部３８とシート状部材１８とは、振動溶着によって互いに接合されている。図１に示される如く、ダクト部材１６のフランジ部３８とインストルメントパネル１２とは、サイドレジスタダクト２８、３０の幅方向両側でそれぞれ接合されているが、各接合部の構造は同様であるので、以下、サイドレジスタダクト２８の後側の接合部を拡大して示す図２（Ａ）を参照しつつ該接合部について説明し、他の接合部の説明は省略することとする。
【００３４】
図２（Ａ）に示される如く、サイドレジスタダクト２８を構成する単位ダクト形成部材３４のフランジ部３８からは、インストルメントパネル１２の裏面１２Ａに向けてダクト側接合凸部４０が突出されている。上記の通り真空成形により成るダクト部材１６では、ダクト側接合凸部４０はフランジ部３８の膨出部として形成されている。一方、インストルメントパネル１２の裏面１２Ａからは、ダクト側接合凸部４０に向けてインストルメントパネル側接合凸部４２が突出されている。
【００３５】
図２（Ｂ）に示される如く、インストルメントパネル側接合凸部４２は、突出端（下端）が先鋭化された複数の歯を有する鋸歯（三角波）状に形成されており、複数の歯の頂部４２Ｐが長手（車幅）方向に所定間隔で配置されている。インストルメントパネル側接合凸部４２は、裏面１２Ａから下方に突出した基部に複数の歯が形成されたものであっても良く、裏面１２Ａから直接的に突出された複数の歯の集合体として捉えても良い。そして、インストルメントパネル側接合凸部４２は、各頂部４２Ｐにおいてダクト側接合凸部４０に振動溶着にて接合されている。図示は省略するが、インストルメントパネル側接合凸部４２は、その長手方向の略全長に亘って連続的に（長手方向に並ぶ各頂部４２Ｐにおいて）、ダクト側接合凸部４０に接合されている。
【００３６】
図２（Ａ）に示される如く、インストルメントパネル側接合凸部４２は、インストルメントパネル１２とダクト側接合凸部４０との間で圧縮されたシート状部材１８を貫通しているものと捉えることができ、またダクト側接合凸部４０及びインストルメントパネル側接合凸部４２がシート状部材１８の厚み方向の両側から該シート状部材１８を貫通しているものと捉えることもできる。
【００３７】
以上説明したダクト側接合凸部４０及びインストルメントパネル側接合凸部４２が、本発明における接合部としての接合凸部４４を構成している。上記の通り接合凸部４４がシート状部材１８を貫通する本実施形態では、シート状部材１８が接合凸部４４の外側（サイドレジスタダクト２８とは反対側）まで張り出しており、その端部１８Ｂがフランジ部３８の幅方向端部の外側から目視可能とされている。
【００３８】
そして、図１及び図２（Ａ）に示される如く、インストルメントパネル構造１０では、接合凸部４４に対するサイドレジスタダクト２８側に設けられたシール圧付与部としてのシール凸部４５を備えている。シール凸部４５は、フランジ部３８におけるダクト側接合凸部４０に対するダクト形成部３６側の部分から、インストルメントパネル１２の裏面１２Ａに向けて突出されている。上記の通り真空成形により成るダクト部材１６では、シール凸部４５はフランジ部３８の膨出部として形成されている。
【００３９】
このシール凸部４５は、そのインストルメントパネル１２の裏面１２Ａ側への突出高Ｈ１がダクト側接合凸部４０の突出高Ｈ２よりも低く設定されており、ダクト側接合凸部４０とインストルメントパネル側接合凸部４２との接合状態で、シート状部材１８を圧縮している。突出高Ｈ１は、シート状部材１８に適度なシール圧を付与する高さとして設定されている。
【００４０】
さらに、図１に示される如く、インストルメントパネル構造１０は、サイドレジスタダクト２８を構成するダクト形成部３６の底壁３６Ａからインストルメントパネル１２の裏面１２Ａに向けて突出されたシート状部材支持凸部としての隔壁４６を備えている。隔壁４６は、主に車幅方向に延びるサイドレジスタダクト２８の一部を前後に分割する如く、該サイドレジスタダクト２８の長手方向の少なくとも一部に形成されている。この実施形態における隔壁４６は、サイドレジスタダクト２８の車幅方後端部近傍で車両後方に曲がる湾曲部２８Ｂの一部を含む部分に設けられている。
【００４１】
上記の通り真空成形により成るダクト部材１６では、隔壁４６はフランジ部３８の膨出部（車両下向きに開口する構造）として形成されている。図１に示される如く、隔壁４６の突出端４６Ａは、シート状部材１８におけるサイドレジスタダクト２８を幅方向（前後）に跨ぐ部分１８Ａの中央部に接触又はごく近接されている。これにより、シート状部材１８におけるサイドレジスタダクト２８を幅方向（前後）に跨ぐ部分１８Ａの中央部は、隔壁４６にてサイドレジスタダクト２８内（下方）から支持されている。
【００４２】
図示は省略するが、ダクト部材１６におけるセンタダクト２６と、左右のサイドレジスタダクト２８及びサイドデフダクト３０と、センタデフダクト３２との集合部分である略中央部には、その下方に配置されたエアコンユニットから空調空気が供給されるようになっている。また、この空調空気の供給部には、空調空気の吹き出し口を切り替えるためのダンパ装置が設けられている。また、センタダクト２６、センタデフダクト３２は、図示しないシート状部材にて覆われてインストルメントパネル１２に対し断熱されている。
【００４３】
次に、第１の実施形態の作用を説明する。
【００４４】
上記構成のインストルメントパネル構造１０では、エアコンユニットから供給された空調空気は、空調用ダクト１４（センタダクト２６と、左右のサイドレジスタダクト２８及びサイドデフダクト３０と、センタデフダクト３２の少なくとも一部）を通過して、通過したダクトに対応する吹き出し口（レジスタ）から車室内に吹き出される。
【００４５】
この際、各空調用ダクト１４はシート状部材１８にて覆われているので、インストルメントパネル１２における空調用ダクト１４の設置部の表面１２Ｂ（車室側）で結露が生じることが防止される。また、インストルメントパネル構造１０では、インストルメントパネル１２とダクト部材１６との間にシート状部材１８が介在されているので、空調空気が空調用ダクト１４から漏れることが防止されている。
【００４６】
ここで、インストルメントパネル構造１０では、接合凸部４４に対する空調用ダクト１４（ダクト形成部３６）側にシール凸部４５が設けられているので、該シール凸部４５がシート状部材１８を圧縮して該シート状部材１８による所要のシール性能が確保される。このため、インストルメントパネル構造１０では、空調空気（特に冷気）が接合凸部４４に至ることが防止又は効果的に抑制される。これにより、接合凸部４４を経由してインストルメントパネル１２の表面１２Ｂに冷熱が伝わる（表面１２Ｂが冷却される）ことが抑制され、該インストルメントパネル１２の表面１２Ｂに結露が生じることが防止又は効果的に抑制される。
【００４７】
そして、インストルメントパネル構造１０では、接合凸部４４がシート状部材１８を貫通するので、ダクト形成部３６を跨ぐと共にフランジ部３８とインストルメントパネル１２との間に挟み込まれたシート状部材１８の端部１８Ｂを図２（Ａ）に示す矢印Ｉ方向などから目視にて確認することができる。すなわち、インストルメントパネル構造１０では、シート状部材１８における接合凸部４４よりも外側に位置する端部１８Ｂを目視にて確認することで、接合凸部４４の内側（空調用ダクト１４側）においてシート状部材１８がシール凸部４５によってシール圧を付与される適正な組付状態になっていることを確認（検査）することができる。
【００４８】
これにより、インストルメントパネル構造１０では、シート状部材１８のダクト部材１６に対する位置ずれなどのセット不良を防止（セット不良品を排除）することができ、シート状部材１８のセット不良に起因して接合凸部４４近傍でインストルメントパネル１２の表面１２Ｂに結露が生じることを防止又は効果的に抑制することができる。
【００４９】
またここで、インストルメントパネル構造１０では、インストルメントパネル側接合凸部４２（の突出端）が鋸歯状に形成されている。このため、インストルメントパネル側接合凸部４２は、シート状部材１８に予めスリットなどを形成しておくことなく、振動溶着のための水平振動の付与によりシート状部材１８を貫通して、各頂部４２Ｐにおいてダクト側接合凸部４０に溶着される。例えば、突出端が平坦なインストルメントパネル側接合凸部を貫通させるためのスリットがシート状部材１８に形成されている比較例においては、発泡材又は繊維材であるシート状部材１８へのスリットの形成精度を高くすることが困難であるため、これらの位置合わせが困難で、ダクト部材１６に対するシート状部材１８のセット不良が生じやすい。このセット不良は、突出端が平坦なインストルメントパネル側接合凸部がシート状部材１８を貫通するために大きな荷重を要求することとなり、この荷重に対するダクト部材１６の剛性不足に基づく溶着不良の原因となる。
【００５０】
これに対してインストルメントパネル構造１０では、インストルメントパネル側接合凸部４２の突出端を鋸歯状とすることで、比較的低荷重で該インストルメントパネル側接合凸部４２にシート状部材１８を貫通させることができる。特に、インストルメントパネル構造１０では、ダクト部材１６のフランジ部３８にダクト側接合凸部４０が形成されているので、該フランジ部３８の剛性が高い。しかも、インストルメントパネル構造１０では、フランジ部３８にシール凸部４５が形成されているので、該フランジ部３８の剛性が一層高い。これらにより、インストルメントパネル構造１０では、インストルメントパネル側接合凸部４２とダクト側接合凸部４０とを適正に接合することができる。
【００５１】
そして、インストルメントパネル１２とダクト部材１６とが接合凸部４４（インストルメントパネル側接合凸部４２、ダクト側接合凸部４０）にて適正に接合されることで、シート状部材１８には、シール凸部４５によって上記の通り適正なシール圧が付与される。これにより、インストルメントパネル構造１０では、接合凸部４４側への冷気の漏れが防止又は効果的に抑制される構成を得ることが担保される（製品の信頼性が向上する）。
【００５２】
さらに、インストルメントパネル構造１０では、隔壁４６が空調用ダクト１４（サイドレジスタダクト２８）内からシート状部材１８を支持するので、該空調用ダクト１４を跨ぐシート状部材１８が下側（底壁３６Ａ）側に撓む（垂れる）ことが抑制される。また、隔壁４６を設けることで、インストルメントパネル１２は、その表面１２Ｂ側からの荷重に対する剛性が向上する。さらに、隔壁４６が空調用ダクト１４（サイドレジスタダクト２８）の長手方向に沿って形成されているので、該隔壁４６によって空調空気の流れが整流される。特に、空調用ダクト１４の湾曲部においては外周側に流れが偏る偏流が生じやすいが、この偏流が隔壁４６によって抑制される。
【００５３】
次に、本発明の他の実施形態を説明する。なお、上記第１の実施形態又は前出の構成と基本的に同一の部品・部分については、上記第１の実施形態又は前出の構成と同一の符号を付して説明を省略する。
【００５４】
（第２の実施形態）
図４には、本発明の第２の実施形態に係るインストルメントパネル構造５０が、図２（Ａ）に対応する側断面図にて示されている。この図に示される如く、インストルメントパネル構造５０は、インストルメントパネル１２の裏面１２Ａからシール凸部４５に向けて突出されたインストルメントパネル側シール凸部としてのシールリブ５２を備える点でインストルメントパネル構造１０とは異なる。
【００５５】
シールリブ５２は、その前後方向に沿った幅Ｗ１が接合凸部４４の前後方向に沿った幅Ｗ２よりも小さく設定されている。この実施形態では、接合凸部４４の幅Ｗ２の範囲内に、前後に並列して２つのシールリブ５２が形成されている。インストルメントパネル構造５０における他の構成は、図示しない部分を含めインストルメントパネル構造１０の対応する構成と同じである。
【００５６】
したがって、第２の実施形態に係るインストルメントパネル構造５０によっても、基本的に第１の実施形態に係るインストルメントパネル構造１０と同様の作用によって同様の効果を得ることができる。
【００５７】
また、インストルメントパネル構造５０では、シールリブ５２によってもシート状部材１８にシール圧を付与することができるので、該シート状部材１８によるシール性能を向上させることが可能である。特に、インストルメントパネル構造５０では、相対的に幅広のシール凸部４５と幅狭のシールリブ５２とでシート状部材１８を表裏から挟み込むため、該シート状部材１８は表裏で変形状態が異なるので、換言すれば、シール凸部４５にて圧縮されたシート状部材１８を反対側からさらに局所的に圧縮するので、シール性能が一層向上される。
【００５８】
なお、第２の実施形態では、シールリブ５２が２つ設けられた例を示したが、本発明はこれに限定されず、例えば、１つ又は３つ以上のシールリブ５２を備えた構成としても良い。
【００５９】
（第３の実施形態）
図５には、本発明の第３の実施形態に係るインストルメントパネル構造６０が、図２（Ａ）に対応する側断面図にて示されている。この図に示される如く、インストルメントパネル構造６０は、ダクト部材１６のフランジ部３８に形成されたダクト側接合凸部４０及びインストルメントパネル側接合凸部４２より成る接合凸部４４、ダクト部材１６のフランジ部３８に形成されたシール凸部４５に代えて、インストルメントパネル１２の裏面１２Ａから突出された接合凸部６２、シール凸部６４を備える点で、インストルメントパネル構造１０とは異なる。
【００６０】
インストルメントパネル構造６０では、ダクト部材１６の単位ダクト形成部材３４を構成するフランジ部６６にはダクト側接合凸部４０、シール凸部４５は形成されていない。接合凸部６２は、シート状部材１８を貫通して、その突出端においてダクト部材１６のフランジ部６６に振動溶着にて接合されている。接合凸部６２の突出端は、インストルメントパネル側接合凸部４２と同様に鋸歯状に形成されており、溶着のための水平振動の付与によってシート状部材１８を貫通されると共に各頂部６２Ｐにおいてフランジ部６６に溶着されている。
【００６１】
シール凸部６４は、その突出高Ｈ３が接合凸部６２の突出高Ｈ４よりも低く設定されており、フランジ部６６と接合凸部６２との接合状態で、シート状部材１８を圧縮している。突出高Ｈ３は、シート状部材１８に適度なシール圧を付与する高さとして設定されている。インストルメントパネル構造６０における他の構成は、図示しない部分を含め、インストルメントパネル構造１０における対応する構成と同様である。
【００６２】
したがって、第３の実施形態に係るインストルメントパネル構造６０によっても、ダクト側接合凸部４０、シール凸部４５がダクト部材１６（フランジ部３８）の剛性を向上する構成による作用効果を除いて、基本的に第１の実施形態に係るインストルメントパネル構造１０と同様の作用によって同様の効果を得ることができる。また、インストルメントパネル構造６０では、フランジ部６６の形状がフランジ部３８に対し簡素化されている。
【００６３】
（第４の実施形態）
図６には、本発明の第４の実施形態に係るインストルメントパネル構造７０が、下側（インストルメントパネル内）から見た拡大斜視図にて示されている。この図に示される如く、インストルメントパネル構造７０は、ダクト側接合凸部４０とインストルメントパネル側接合凸部４２とが長手方向に沿って断続的に接合されている点で、インストルメントパネル構造１０とは異なる。
【００６４】
この実施形態では、ダクト側接合凸部４０とインストルメントパネル側接合凸部４２とは、例えば超音波溶着などの部分（スポット）溶着にて、長手方向に離間された複数の位置で接合されている。図６には、超音波溶着の超音波ホーンによる溶着痕Ｍｗが示されている。インストルメントパネル構造７０における他の構成は、図示しない部分を含め、インストルメントパネル構造１０における対応する構成と同様である。
【００６５】
したがって、第４の実施形態に係るインストルメントパネル構造７０によっても、基本的に第１の実施形態に係るインストルメントパネル構造１０と同様の作用によって同様の効果を得ることができる。
【００６６】
なお、上記した各実施形態では、ダクト部材１６がインストルメントパネル１２との間にセンタダクト２６、サイドレジスタダクト２８、サイドデフダクト３０、センタデフダクト３２を成す例を示したが、本発明はこれに限定されず、これらのうち少なくとも１つの空調用ダクト１４（単位ダクト形成部材３４）を有していれば良い。
【００６７】
また、上記した各実施形態では、ダクト部材１６が真空成形品である例を示したが、本発明はこれに限定されず、例えば、ダクト部材１６が樹脂の射出成形などにて形成されたものであっても良い。
【００６８】
さらに、上記した各実施形態では、サイドレジスタダクト２８に隔壁４６が設けられた例を示したが、本発明はこれに限定されず、例えば、隔壁４６が設けられない構成としても良く、他の空調用ダクト１４に隔壁４６が設けられた構成としても良い。
【符号の説明】
【００６９】
１０    インストルメントパネル構造
１２    インストルメントパネル
１４    空調用ダクト
１６    ダクト部材
１８    シート状部材
２８    サイドレジスタダクト（空調用ダクト）
３０    サイドデフダクト（空調用ダクト）
３６    ダクト形成部
３８    フランジ部
４０    ダクト側接合凸部
４２    インストルメントパネル側接合凸部
４２Ｐ  頂部
４４    接合凸部
４５    シール凸部（ダクト側シール凸部、シール圧付与部）
４６    隔壁（シート状部材支持凸部）
５０・６０・７０    インストルメントパネル構造
５２    シールリブ（インストルメントパネル側シール凸部、シール圧付与部）
６２    接合凸部
６２Ｐ  頂部
６４    シール凸部（インストルメントパネル側シール凸部、シール圧付与部）
６６    フランジ部
【図１】
2011084167.tif 000003
【図２】
2011084167.tif 000004
【図３】
2011084167.tif 000005
【図４】
2011084167.tif 000006
【図５】
2011084167.tif 000007
【図６】
2011084167.tif 000008